(57)【要約】【課題】これまで情報管理サーバーのタイムアウト時には、映像を送出しなければ分からなかった、映像の情報（当該映像のサブタイトル、映像尺、バージョン情報、ループ再生の有無）を送出端末の表示部の端末画面内に表示する。【解決手段】送出端末、送出制御装置、およびデコーダを備えた送出システムの前記送出端末において、表示部を有し、情報管理サーバーに第１の映像データ取得要求を送信し、所定時間経過しても応答データが届かない場合には、応答タイムアウトと判定し、前記送出制御装置に第２の映像データ取得要求を送信し、前記送出制御装置から返信された応答データの項目を前記表示部の端末画面に表示する。【選択図】図６
2013026863.tif 000002
【特許請求の範囲】
【請求項１】
送出端末、送出制御装置、およびデコーダを備えた送出システムの前記送出端末において、
表示部を有し、情報管理サーバーに第１の映像データ取得要求を送信し、所定時間経過しても応答データが届かない場合には、応答タイムアウトと判定し、前記送出制御装置に第２の映像データ取得要求を送信し、前記送出制御装置から返信された応答データの項目を前記表示部の端末画面に表示することを特徴とする送出端末。
【発明の詳細な説明】
【技術分野】
【０００１】
本発明は、送出システムに関わり、特に、情報管理サーバーの障害によって、送出端末の表示情報が不足してしないように、送出システム内部から映像情報を検索し、補完表示する送出端末に関する。
【背景技術】
【０００２】
従来のビデオサーバーシステムにおいて、映像を送出する方法は、上位の指示を受けて送出を行う電子台本送出と、送出端末からの手動操作で送出を行うマニュアル送出とがある（特許文献１参照。）。マニュアル送出の場合には、送出端末の検索機能を用いて情報管理サーバーに問い合わせを行い、目的の映像を送出端末に呼び出し、送出端末の表示部に呼び出しした画面を表示する。その後ユーザが画面を確認してから送出する。映像は送出端末の表示部の表示画面（端末画面）にアイコンとして表示され、そのアイコンには、情報管理サーバーからの受信データをもとに、映像に関する情報が表示される。
送出端末の検索機能を用いた検索は、映像に関する情報を用いて行う。映像に関する情報としては、例えば、カテゴリ、項目コード、通番などがある。それらの情報の検索のほとんどは、情報管理サーバーが機能していなければ使用できない。
従って、所定時間、情報管理サーバーからの応答がない（タイムアウトした）場合には、従来は、映像のビデオＩＤ検索を行い、検索したビデオＩＤとサムネイルのみを表示していた。
【先行技術文献】
【特許文献】
【０００３】
【特許文献１】特開２００９−０５５２５５号公報
【発明の概要】
【発明が解決しようとする課題】
【０００４】
上述のように、従来技術では、障害の発生によって情報管理サーバーが機能していなくても、唯一、映像固有のＩＤであるビデオＩＤによる検索は可能である。映像送出は情報管理サーバーの動作に影響を受けることなく行えなければならないため、このような救済機能を有している。
この情報管理サーバーのタイムアウト時のビデオＩＤによる検索では、アイコンにビデオＩＤと映像サムネイルしか表示されないため、情報が不足する。
本発明は、これまで情報管理サーバーのタイムアウト時には、映像を送出しなければ分からなかった、映像の情報（当該映像のサブタイトル、映像尺、バージョン情報、ループ再生の有無）を、送出端末の表示部の端末画面内に表示することを目的とする。
【課題を解決するための手段】
【０００５】
上記の目的を達成するため、本発明の送出端末は、送出端末、送出制御装置、およびデコーダを備えた送出システムの前記送出端末において、表示部を有し、情報管理サーバーに第１の映像データ取得要求を送信し、所定時間経過しても応答データが届かない場合には、応答タイムアウトと判定し、前記送出制御装置に第２の映像データ取得要求を送信し、前記送出制御装置から返信された応答データの項目を前記表示部の端末画面に表示するものである。
上記本発明の送出端末は、さらに、前記送出システム内部から、映像の情報を検索し、不足した情報を補完することを特徴とする。
【発明の効果】
【０００６】
本発明によれば、情報管理サーバーのタイムアウトに対して、送出制御装置内のファイルを利用することによって、不足したデータを補完することができる。
この結果、これまで情報管理サーバーのタイムアウト時には、映像を送出しなければ分からなかった、当該映像のサブタイトル、映像尺、バージョン情報、ループ再生の有無が送出端末の表示部の端末画面内に表示されるため、映像確認の手間を省くことができる。
【図面の簡単な説明】
【０００７】
【図１】本発明の送出システムの一実施例の構成を示すブロック図である。
【図２】本発明の送出システムの一実施例において、送出端末１０１の表示部の端末画面の検索エリアの概略図である。
【図３】本発明の送出システムにおけるビデオＩＤ検索ウィンドウの一実施例を示す図である。
【図４】本発明の送出システムにおけるビデオＩＤ検索処理の一実施例を示すシーケンス図である。
【図５】本発明の送出システムにおけるビデオＩＤ検索処理における検索結果を表示する端末画面の一実施例を示す図である。
【図６】本発明の送出システムにおける情報管理サーバー障害時のビデオＩＤ検索処理の一実施例を示すシーケンス図である。
【図７】本発明の送出システムにおけるビデオＩＤ検索処理における情報管理サーバー障害時の検索結果を表示する端末画面の一実施例を示す図である。
【発明を実施するための形態】
【０００８】
以下に本発明の一実施形態を図面等を用いて説明する。
なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、同一の機能を有する構成要素には同一の参照番号を付し、重複を避け、できるだけ説明を省略する。
【０００９】
図１によって本発明の送出システムの一実施例の処理に関わる構成を説明する。図１は、本発明の送出システムの一実施例の構成を示すブロック図である。１００は送出システム、１０４はビデオサーバーシステム内の情報管理サーバー、１０５は他システムである。送出システム１００において、１０１は送出端末、１０２は送出制御装置、１０３はデコーダである。
送出システム１００において、映像を送出する方法は、上位機器の指示を受けて送出を行う電子台本送出と、送出端末１０１からのユーザによる手動操作で送出を行うマニュアル送出とがある。
マニュアル送出の場合は、ユーザは、送出端末１０１の検索機能を用いて情報管理サーバー１０４に問い合わせを行い、目的の映像を送出端末１０１の表示部（図示しない）の端末画面に呼び出し、確認してから送出する。端末画面では、映像はアイコン（映像アイコン）として表示され、そのアイコンには情報管理サーバー１０４からの受信データをもとに映像に関する情報が表示される。
【００１０】
例えば、図１において、ビデオサーバーシステム内の情報管理サーバー１０４は、送出端末１０１に受信データを出力する。送出端末１０１は、情報管理サーバー１０４から入力された受信データをもとに、図示しない表示部の端末画面に映像アイコンを表示し、ユーザが手動により送出する。
即ち、送出端末１０１からの送出命令は、送出制御装置１０２経由でデコーダ１０３を制御し、映像送出処理を行う。
なお、サムネイル画像は他史システム１０５から送出システム１００に供給される。
【００１１】
上述のマニュアル送出の場合には、ユーザが送出端末１０１で検索操作を行うことによって、送出端末１０１は、情報管理サーバー１０４に映像データの取得要求を送信する。
図２によって、本発明の送出システムの一実施例における送出端末の検索エリアについて説明する。図２は、本発明の送出システムの一実施例において、送出端末１０１の表示部の端末画面の検索エリアの概略図である。２００は送出端末１０１の表示部の端末画面（検索エリア）である。端末画面２００において、２０１はビデオＩＤ検索ボタン、２０２は検索結果表示エリアである。
図２の端末画面２００において、エリア内には各種検索ボタン、検索結果表示エリア、結果表示形式を変更するボタンが存在する。各種検索ボタンおよび結果表示形式を変更するボタンは、図２では、長方形の白枠で示す。
ユーザが、ＧＵＩ操作により、ビデオＩＤ検索ボタン２０１を押下すると、ビデオＩＤ検索ウィンドウが開く（図３参照。）。
【００１２】
ビデオＩＤ検索ウィンドウの略図を示す。
図３によって、ビデオＩＤ検索ウィンドウについて説明する。図３は、本発明の送出システムにおけるビデオＩＤ検索ウィンドウの一実施例を示す図である。３００は送出端末１０１の表示部の端末画面（ビデオＩＤ検索ウィンドウ）である。端末画面３００において、３０１はビデオＩＤ入力ボックス、３０２はアルファベット入力ボタン、３０３は数字入力ボタン、３０４は検索実行ボタンである。
図３のビデオＩＤ検索ウィンドウ（端末画面３００）において、ユーザがアルファベット入力ボタン３０２や数字入力ボタン３０３を押下すると、押下した文字または数字がビデオＩＤ入力ボックス３０１に入力される。全て入力し終えたあと、検索実行ボタン３０４を押下すると、検索が実行される。
【００１３】
図４によって、本発明の検索処理の一実施例を説明する。図４は、本発明の送出システムにおけるビデオＩＤ検索処理の一実施例を示すシーケンス図である。４０１は映像データ取得要求、４０２は応答データ、４０３は画像データ取得要求、４０４はサムネイル画像データである。
図４において、送出端末１０１は、まず情報管理サーバー１０４に映像データ取得要求４０１を送信する。それを受信した情報管理サーバー１０４は、応答データ４０２を送出端末１０１に返信する。応答データ４０２を受信した送出端末１０１は、その応答データ４０２を元に、端送出末１０１内で保持している共有領域を更新する。送出端末１０１内の映像データは、この共有領域で管理しており、共有領域のデータからアイコンを作成し、送出端末１０１の表示部に表示する。
情報管理サーバー１０４からの応答（応答データ４０２）を受信後、送出端末１０１は、他システム１０５にサムネイル画像の取得要求（画像データ取得要求４０３）を送信する。他システム１０５は、要求された取得要求に応答して要求されたサムネイル画像データ４０４を送出端末１０１に送信する。送出端末１０１は、取得したサムネイル画像をアイコン内に表示する（図５参照。）。
【００１４】
図５によって、本発明の検索結果表示の一実施例を説明する。図５は、本発明の送出システムにおけるビデオＩＤ検索処理における検索結果を表示する端末画面の一実施例を示す図である。５００は端末画面（検索結果表示画面）である。端末画面５００において、５０はアイコンである。またアイコン５０において、５０１はカテゴリ、５０２は日別通番、５０３はバージョン、５０４はサムネイル、５０５はタイトル、５０６はサブタイトル、５０７は条件、５０８はループアイコン、５０９は内容時間、５１０は放送時間、５１１は音声である。
図５の端末画面５００に示すように、送出端末１０１は、その表示部に、情報管理サーバー１０４からの応答を正常に受信すると、アイコン５０を表示する。
【００１５】
図６によって、本発明の情報管理サーバー障害時の送出システムにおける検索処理の一実施例を説明する。図６は、本発明の送出システムにおける情報管理サーバー１０４の障害時のビデオＩＤ検索処理の一実施例を示すシーケンス図である。６０１は映像データ取得要求、６０２は応答データ、６０３は応答タイムアウト、６０４は映像データ取得要求、６０５は応答データ、６０６は画像データ取得要求、６０７はサムネイル画像データである。
図６において、送出端末１０１は、まず情報管理サーバー１０４に映像データ取得要求６０１を送信する。それを受信した情報管理サーバー１０４は、応答データ６０２を送出端末１０１に返信する。しかし、情報管理サーバー１０４に何らかの障害が発生し、応答データ６０２が送出端末１０１に所定時間ｔ内に届かないとする。
【００１６】
送出端末１０１は、映像データ取得要求６０１を送信してから、所定時間ｔ経過しても応答データが届かない場合には、応答タイムアウト（情報管理サーバー１０４への要求がタイムアウトした）と判定する。応答タイムアウトと判定された場合には、送出端末１０１は、ビデオＩＤのみ存在する共有領域を作成する。
次に、送出端末１０１は、送出制御装置１０２に映像データ取得要求６０４を送信する。
送出制御装置１０２は、映像を送出するための情報をファイルとして保持しており、そのファイル内の項目を利用する。そのファイル内にあって、画面表示に適用できる項目は、バージョン番号、キューアップ点ＴＣ（Time Code）、ＯＵＴ点ＴＣ、ループ再生点有無、サブタイトルである。
送出制御装置１０２は、送出端末１０１からの映像データ取得要求６０４を受信すると、上記ファイル内容の項目を応答データ６０５として送出端末１０１に返信する。
送出制御装置１０２から応答データ６０５を受信した送出端末１０１は、その応答データ６０５をもとに、送出端末１０１内で保持している共有領域を更新する。
その後、送出端末１０１は、他システム１０５にサムネイル画像の取得要求（画像データ取得要求６０６）を送信する。他システム１０５は、要求された取得要求に応答して要求されたサムネイル画像データ６０７を送出端末１０１に送信する。送出端末１０１は、取得したサムネイル画像をアイコン内に表示する。
【００１７】
図７によって、本発明の情報管理サーバー１０４障害時の検索結果表示の一実施例を説明する。図７は、本発明の送出システムにおけるビデオＩＤ検索処理における情報管理サーバー障害時の検索結果を表示する端末画面の一実施例を示す図である。７００は端末画面（検索結果表示画面）である。端末画面７００において、７０はアイコンである。またアイコン７０において、７０１はバージョン、７０２はサムネイル、７０３はビデオＩＤ、７０４はサブタイトル、７０５はループアイコン、７０６は内容時間である。
図７において、情報管理サーバー１０４障害時には、映像のタイトルは取得できないため、代わりにビデオＩＤ７０３を表示する。内容時間７０６は、映像のキューアップ点からＯＵＴ点までの尺を表しているため、送出制御装置１０２から受信したデータから計算し、表示する。
【００１８】
上述の実施例によれば、情報管理サーバーの障害に対して、送出制御装置内のファイルを利用することによって、完全ではないものの、不足したデータを補完して表示が行なわれる。
これにより、これまで情報管理サーバーの障害時は送出しなければ分からなかった、サブタイトル、映像尺、バージョン情報、ループ再生の有無が端末に表示され、映像確認の手間を省くことができる。
【符号の説明】
【００１９】
５０、７０：アイコン、  １００：送出システム、  １０１：送出端末、  １０２：送出制御装置、  １０３：デコーダ、  １０４：情報管理サーバー、  １０５：他システム、  ２００：端末画面、  ２０１：ビデオＩＤ検索ボタン、  ２０２：検索結果表示エリア、  ３００：端末画面、  ３０１：ビデオＩＤ入力ボックス、  ３０２：アルファベット入力ボタン、  ３０３：数字入力ボタン、  ３０４：検索実行ボタン、  ４０１：映像データ取得要求、  ４０２：応答データ、  ４０３：画像データ取得要求、  ４０４：サムネイル画像データ、  ５００：端末画面、  ５０１：カテゴリ、  ５０２：日別通番、  ５０３：バージョン、  ５０４：サムネイル、  ５０５：タイトル、  ５０６：サブタイトル、  ５０７：条件、  ５０８：ループアイコン、  ５０９：内容時間、  ５１０：放送時間、  ５１１：音声、  ６０１：映像データ取得要求、  ６０２：応答データ、  ６０３：応答タイムアウト、  ６０４：映像データ取得要求、  ６０５：応答データ、  ６０６：画像データ取得要求、  ６０７：サムネイル画像データ、  ７００：端末画面、  ７０１：バージョン、  ７０２：サムネイル、  ７０３：ビデオＩＤ、  ７０４：サブタイトル、  ７０５：ループアイコン、  ７０６：内容時間。
【図１】
2013026863.tif 000003
【図２】
2013026863.tif 000004
【図３】
2013026863.tif 000005
【図４】
2013026863.tif 000006
【図５】
2013026863.tif 000007
【図６】
2013026863.tif 000008
【図７】
2013026863.tif 000009